(57)【特許請求の範囲】
【請求項１】
管材の端部に設けられ、土木又は建築現場で使用される仮設柱の側部に設けられた断面コ字状の係止金具に装着する抜け防止楔金具であって、
底板と該底板の周囲に形成された側板とを有し、上部には前記管材の端部が嵌入固定される管装着部を、該管装着部の下方には、前記係止金具に嵌入するテーパー部を有する楔部材と、該楔部材内に配置され弾性部材からなり、前記テーパー部を前記係止金具に上から装着した場合、前記係止金具の下方から弾性的に突出するストッパ部を備えた抜け防止材とを有し、
前記抜け防止材は、前記楔部材の内側に配置される第１平面部と、該第１平面部にＵ字曲げ部を介して接続される第２平面部と、該第２平面部に第１の段を介して接続される第３平面部と、該第３平面部に第２の段を介して連通し、先部が内側に折れ曲がって形成されるガイド面を有する第４平面部とを有し、前記第２の段が前記係止金具の下端に当接する前記ストッパ部を形成することを特徴とする抜け防止楔金具。
【請求項２】
管材の端部に設けられ、土木又は建築現場で使用される仮設柱の側部に設けられた断面コ字状の係止金具に装着する抜け防止楔金具であって、
底板と該底板の周囲に形成された側板とを有し、上部には前記管材の端部が嵌入固定される管装着部を、該管装着部の下方には、前記係止金具に嵌入するテーパー部を有する楔部材と、該楔部材内に配置され弾性部材からなり、前記テーパー部を前記係止金具に上から装着した場合、前記係止金具の下方から弾性的に突出するストッパ部を備えた抜け防止材とを有し、
前記抜け防止材の第１平面部と第２平面部は平行となって、側面視してＬ字形状の押さえ金具によって、該抜け防止材が前記楔部材の内側に押圧保持されていることを特徴とする抜け防止楔金具。
【発明の詳細な説明】
【技術分野】
【０００１】
本発明は、土木又は建築現場で使用されるパイプ材からなる仮設柱の側部（通常は周囲に２段）に設けられた断面コ字状の係止金具に装着され、例えば、水平材となる管材の一端に設けられた抜け防止楔金具に関する。
【背景技術】
【０００２】
土木又は建築現場では高所での作業を行うために、仮設架台が設けられている。この仮設架台は、例えば、図４に示すように、パイプ材からなる支柱７０の側部に、上方に向けて断面積が徐々に広くなって、両側板７７、７８は平行となった断面コ字状の係止金具７１を複数取付け、この係止金具７１に管材７２の端部に設けられた楔金具７３を装着している（特許文献１、２参照）。
【０００３】
そして、この楔金具７３を係止金具７１に装着する場合、係止金具７１に楔金具７３の楔部分（テーパー部）７４を上から装入した後、作業員がハンマーで、楔金具７３の楔部分７４を容易に抜けない程度に係止金具７１に叩き込んでいた。なお、係止金具７１は前述のように、両側にある側板７７、７８が平行となって、表板７９は支柱７０に対して上方に開く楔孔状となっている。
【先行技術文献】
【特許文献】
【０００４】
【特許文献１】特開２０１０−２７５７７０号公報
【特許文献２】特開２０１４−２１１０５２号公報（図６）
【発明の概要】
【発明が解決しようとする課題】
【０００５】
しかしながら、特許文献１、２記載の楔金具７３は、係止金具７１に楔部分７４を装着するのみであるので、予期しない荷重（例えば、下からの突き上げ荷重）によって楔部分７４が外れる可能性もある。
【０００６】
本発明はかかる事情に鑑みてなされたもので、比較的簡単な構造で構成され、楔部分（テーパー部）が予期しない荷重によって、係止金具から外れないようにする抜け防止楔金具を提供することを目的とする。
【課題を解決するための手段】
【０００７】
前記目的に沿う第１の発明に係る抜け防止楔金具は、管材の端部に設けられ、土木又は建築現場で使用される仮設柱の側部に設けられた断面コ字状の係止金具に装着する抜け防止楔金具であって、
底板と該底板の周囲に形成された側板とを有し、上部には前記管材の端部が嵌入固定される管装着部を、該管装着部の下方には、前記係止金具に嵌入するテーパー部を有する楔部材と、該楔部材内に配置され弾性部材からなり、前記テーパー部を前記係止金具に上から装着した場合、前記係止金具の下方から弾性的に突出するストッパ部を備えた抜け防止材とを有し、
前記抜け防止材は、前記楔部材の内側に配置される第１平面部と、該第１平面部にＵ字曲げ部を介して接続される第２平面部と、該第２平面部に第１の段を介して接続される第３平面部と、該第３平面部に第２の段を介して連通し、先部が内側に折れ曲がって形成されるガイド面を有する第４平面部とを有し、前記第２の段が前記係止金具の下端に当接する前記ストッパ部を形成する。
【０００８】
第１の発明に係る抜け防止楔金具において、前記抜け防止材の第１平面部と第２平面部は平行となって、側面視してＬ字形状の押さえ金具によって、該抜け防止材が前記楔部材の内側に押圧保持されているのが好ましい。
【０００９】
そして、第２の発明に係る抜け防止楔金具は、管材の端部に設けられ、土木又は建築現場で使用される仮設柱の側部に設けられた断面コ字状の係止金具に装着する抜け防止楔金具であって、
底板と該底板の周囲に形成された側板とを有し、上部には前記管材の端部が嵌入固定される管装着部を、該管装着部の下方には、前記係止金具に嵌入するテーパー部を有する楔部材と、該楔部材内に配置され弾性部材からなり、前記テーパー部を前記係止金具に上から装着した場合、前記係止金具の下方から弾性的に突出するストッパ部を備えた抜け防止材とを有し、
前記抜け防止材の第１平面部と第２平面部は平行となって、側面視してＬ字形状の押さえ金具によって、該抜け防止材が前記楔部材の内側に押圧保持されている。
【発明の効果】
【００１０】
本発明に係る抜け防止楔金具は、楔部材のテーパー部を係止金具に上から装着した場合、係止金具の下端から抜け防止材のストッパ部が突出するので、楔部材が不用意な荷重によっても抜けない。
そして、抜け防止材は弾性部材によってできているので、ストッパ部（必要な場合、第４平面部）を打撃又は押し戻す（必要な場合は治具等を用いて戻す）ことによって、係止金具から抜け防止楔金具を抜くことができる。
【図面の簡単な説明】
【００１１】
【図１】（Ａ）〜（Ｃ）はそれぞれ本発明の一実施の形態に係る抜け防止楔金具の使用状態の説明図である。
【図２】同抜け防止楔金具の断面図である。
【図３】（Ａ）は同抜け防止楔金具の正面図、（Ｂ）は同平面図、（Ｃ）は同底面図、（Ｄ）は同左側面図、（Ｅ）は同右側面図である。
【図４】従来例に係る楔金具の説明図である。
【発明を実施するための形態】
【００１２】
続いて、添付した図面を参照しながら、本発明を具体化した実施の形態について説明する。
図１〜図３に示すように、本発明の一実施の形態に係る抜け防止楔金具１０は、鋼材（ステンレス鋼も含む）からなり、土木又は建築現場で使用される仮設柱（パイプ材）１１の側部に設けられた断面コ字状の係止金具１２の一つに装着するものであって、底板１３と底板１３の周囲に形成された側板１４とを有し、上部には管材１５の端部が嵌入固定される管装着部１７を、管装着部１７の下方には、係止金具１２に嵌入するテーパー部１８を有する楔部材１９と、楔部材１９内に配置され、テーパー部１８を係止金具１２に上から装着した場合、係止金具１２の下方から弾性的に突出するストッパ部２０を備えた抜け防止材２１とを有する。以下、これらについて詳しく説明する。
【００１３】
楔部材１９は所定形状に周囲を切った平鋼板をプレス加工にて、底板１３と底板１３周囲に立設された２〜３ｃｍ高さの側板１４とを有する。楔部材１９の上部には、管装着部１７が設けられ、手摺り等に用いられ水平状態に配置される管材１５が嵌入し、楔部材１９に溶接固定されている。テーパー部１８は、従来からある楔金具の楔部分と同一であって、下方にテーパー状となって、係止金具１２の断面四角形の係合孔２２に嵌入する寸法となっている。
【００１４】
この楔部材１９の内側は空間部となって、弾性板材を折り曲げて形成される抜け防止材２１が嵌入している。抜け防止材２１の表側には、側面視してＬ字状の押さえ金具２４が設けられ、抜け防止材２１の脱落を防止している。
抜け防止材２１はばね材からなって、楔部材１９の内側には溶接しにくいが、特別な熱処理を行って溶接してもよく、この実施の形態のように押さえ金具２４で楔部材１９の内側に押圧保持して、容易に楔部材１９から外れない構造としてもよい。この押さえ金具２４は直角となった第１辺２５と第２辺２６を有し、第１辺２５は底板１３と隙間２８を有して平行に配置されている。第２辺２６は管材１５に当接する円弧状となって、管材１５及び楔部材１９に溶接、ネジ等で固定されている。２４ａはビス孔であるが、溶接の場合は省略できる。
【００１５】
抜け防止材２１は、楔部材１９の内側の底板１３の表面側に配置される第１平面部３０と、第１平面部３０にＵ字曲げ部３１を介して接続される第２平面部３２と、第２平面部３２に第１の段３３を介して接続される第３平面部３４と、第３平面部３４に第２の段によって形成されるストッパ部２０を介して連通し、先部が内側に折れ曲がって形成されたガイド面３６を備えた第４平面部３７とを有している。なお、第１平面部３０と第２平面部３２は平行となっている。
【００１６】
第２の段（ストッパ部２０）は第１平面部３０に対して略直角となっている。第２の段は抜け防止材２１の弾性によって常時外側に付勢されている。ガイド面３６は下内側に向いて容易に係止金具１２内に入ることができ、更に、ガイド面３６の斜面が係止金具１２に接することによって、ガイド面３６を備えた第４平面部３７を底板方向に押して、抜け防止材２１の下側が係止金具１２内を挿通し、ストッパ部２０が係止金具１２の下端から図１（Ｃ）、図２に示すように、当接状態で突出するようになっている。なお、第４平面部３７もストッパ部として機能する。また、ストッパ部２０とこのストッパ部２０が係止する係止金具１２の角度は、８０〜１００度の範囲となっているのがよい。
【００１７】
この抜け防止楔金具１０を使用する場合は、図１（Ａ）に示すように、係止金具１２の係合孔２２に上方から、抜け防止楔金具１０のテーパー部１８を差し込む。この場合、ストッパ部２０及び第４平面部３７は、ガイド面３６が係止金具１２の内側に当接することによって、内側に押され係止金具１２内を通過する（図１（Ｂ）参照）。
この抜け防止楔金具１０を係止金具１２から外す場合は、第４平面部３７を押圧又はハンマー等で叩くことによって行う。
【００１８】
図３（Ａ）〜（Ｅ）にはこの抜け防止楔金具１０の５面図を示すが、実際の管材１５の直径は４２．７ｍｍであって、その両端に抜け防止楔金具１０が設けられ、管材１５の全長は１．８ｍである。なお、楔部材１９の底板１３の外側は、取り付ける仮設柱１１に合わせて中央に窪む円弧状となって、管装着部１７が形成される底板１３には開口４０が設けらている。
【００１９】
本発明は前記した実施の形態に限定されるものではなく、本発明の要旨を変更しない範囲でその構成を変更することもできる。
例えば、抜け防止材は楔部材に固定であってもよいし、周知の別構造であってもよい。
【符号の説明】
【００２０】
１０：抜け防止楔金具、１１：仮設柱、１２：係止金具、１３：底板、１４：側板、１５：管材、１７：管装着部、１８：テーパー部、１９：楔部材、２０：ストッパ部、２１：抜け防止材、２２：係合孔、２４：押さえ金具、２４ａ：ビス孔、２５：第１辺、２６：第２辺、２８：隙間、３０：第１平面部、３１：Ｕ字曲げ部、３２：第２平面部、３３：第１の段、３４：第３平面部、３６：ガイド面、３７：第４平面部、４０：開口
【図１】
0006419039.tif 000002
【図２】
0006419039.tif 000003
【図３】
0006419039.tif 000004
【図４】
0006419039.tif 000005